(57)【特許請求の範囲】
【請求項１】
気体を封入可能な袋体を有してなる可撓性のフェンス本体に取り付けられる送気弁であって、フェンス本体に取り付けられた鍔付き取付枠と、該鍔付き取付枠にパッキンを介して嵌め合わされた雌金具と、雌金具に組み込まれ、雄金具の外周溝に嵌まり合う押圧部材と、雌金具に取り付けられた不還弁とからなり、不還弁が円形の弾性体であり、円の中心で雌金具に固定されるための突起が形成された不還弁の面とは反対側の面の不還弁の直径部分に１条の凹溝が形成され、該凹溝が形成された薄肉部の肉厚が他の部分の肉厚の１／４から３／４であることを特徴とする送気弁。
【請求項２】
油やゴミ等の流出物が河川や海上等に拡散することを防止するためのフェンスであって、可撓性のフェンス本体の両端部に、請求項１に記載の送気弁を取り付けてなる流出物拡散防止フェンス。
【発明の詳細な説明】
【０００１】
【発明の属する技術分野】
本発明は、油やゴミ等の流出物が河川や海上等に拡散することを防止するためのフェンスに使用する送気弁に関するものであり、特に、構造が簡易で信頼性の高い送気弁およびそれを用いた流出物拡散防止フェンスに関するものである。
【０００２】
【従来の技術】
流出物拡散防止フェンスは、河川や海上において油やゴミ等の汚染物質が流出した場合、周辺に拡散することを防止して所定の範囲内に止め、汚染物質の回収を図ることを目的として使用されるものである。そして、このようなフェンスとして、気体を封入可能な袋体からなり、気室内にブロワーで給気することにより浮力を確保する、充気式フェンスと呼ばれるものが知られている。
【０００３】
充気式フェンスにおいては、連結された複数本のフェンスを岸壁等において一本づつ順次給気して展張するのであるが、特に油の流出時にあっては早急に展張する必要がある。そのため、フェンスに取り付けられた送気弁に簡単かつ確実に送気ホースを接続でき、送気終了後は直ちに送気ホースを取り外せるものが要求される。しかも、波浪中であっても気室内の気密状態を維持できるものでなければならない。したがって、気室内に空気を充填するための送気弁の役割は重要である。
【０００４】
そして、このような送気弁として、図５に示すようなものが使用されていた。すなわち、通常は、フェンスに取り付けられた雌金具１１に硬質板からなる不還弁１２をコイルバネ１３で押圧することによって気密性を確保し、給気の際は、図５に示すように、送気ホース側の雄金具１４の凸部１５が不還弁１２を押し下げるよう当接することによって不還弁１２が雌金具１１と離間し、給気口１６が確保されるというものである。
【０００５】
しかしながら、給気終了の都度、コイルバネ１３の付勢および内圧によって不還弁１２が雌金具１１に衝突することになるので、硬質板からなる不還弁１２が変形したり損傷したりし、気密性が損なわれ易いという問題があった。しかも、送気ホースの接続の都度、雄金具１４の凸部１５が不還弁１２に当接するため、この際にも不還弁１２が変形、損傷する恐れがある。そして、不還弁の損傷により空気漏れが生じると、最悪の場合には、流出物の回収前に充気式フェンスが沈下してしまい、流出物が周囲に拡散してしまうので、このような事態を防止するため日常の点検、保守に多大の労力が必要であった。
【０００６】
また、硬質板からなる不還弁およびコイルバネに代えて、ゴム製の不還弁を使用する場合もある。しかしながら、単にゴム製としただけの不還弁は、送気圧によってきちんと不還弁が変形せず、空気の通路を十分に確保することが困難であった。そのため、給気に多大の時間を要したり、高い送気圧を必要とする等、実用性に問題のあるものであった。
【０００７】
【発明が解決しようとする課題】
そこで本発明は、このような従来の送気弁を改良し、耐久性、信頼性に優れ、低圧でも確実に給気口を確保することのできる送気弁およびそれを用いた流出物拡散防止フェンスを提供することを目的とするものである。
【０００８】
【課題を解決するための手段】
本発明は、以上の課題を解決するためになされたものであって、その要旨は、気体を封入可能な袋体を有してなる可撓性のフェンス本体に取り付けられる送気弁であって、フェンス本体に取り付けられた鍔付き取付枠と、該鍔付き取付枠にパッキンを介して嵌め合わされた雌金具と、雌金具に組み込まれ、雄金具の外周溝に嵌まり合う押圧部材と、雌金具に取り付けられた不還弁とからなり、不還弁が円形の弾性体であり、円の中心で雌金具に固定されるための突起が形成された不還弁の面とは反対側の面の不還弁の直径部分に１条の凹溝が形成され、該凹溝が形成された薄肉部の肉厚が他の部分の肉厚の１／４から３／４であることを特徴とする送気弁に係るものである。
【０００９】
また、油やゴミ等の流出物が河川や海上等に拡散することを防止するためのフェンスであって、可撓性のフェンス本体の両端部に、上記の送気弁を取り付けてなる流出物拡散防止フェンスに係るものである。
【００１０】
【発明の実施の形態】
本発明において、送気弁の主要部材である不還弁は、円形の弾性体であり、円の中心で雌金具に固定され、直径部分の肉厚のみが薄くされたものである。すなわち、弾性体とすることで、硬質板に特有の変形や損傷自体を防止し、かつ、弾性体に多少の変形等が生じたとしても、気密性を確保できるようにしているのである。また、コイルバネの省略による生産性の向上および信頼性の向上も図られる。
【００１１】
また、不還弁は円の中心で雌金具に固定されることから、全円周で弾性変形による給気口が確保でき、送気時間の短縮が図られる。さらに、直径部分の肉厚のみが薄くされていることから、薄肉の部分を起点として容易に変形し、送気ホースの雄金具を不還弁に当接しなくても、また、送気圧が低くても、送気によって確実に給気口が得られるようになる。
【００１２】
ここで、不還弁の材質としては、ＣＲゴム等の合成ゴムや軟質樹脂等が使用可能である。また、不還弁の直径部分の薄肉部は、凹溝とすることが好ましい。金型から簡単に成形することができるからである。さらに、薄肉部の肉厚は、他の部分の肉厚の１／４から３／４である。１／４より薄くなると、繰り返しの使用によって、薄肉部に亀裂が生じる可能性が高くなるからであり、３／４より厚いと、薄肉としたことによる変形容易等の効果が得られなくなるからである。
【００１３】
本発明の送気弁に対する送気ホースの接続は、従来と同様の雄金具を用い、雄金具の凸部を不還弁に当接させるようにすることもできるが、好ましくは、凸部のない雄金具を使用し、雌金具と雄金具との接続後であっても、雄金具の先端が不還弁に接触することのないようにする。本発明の送気弁では上記の通り、送気圧だけで給気口が確保できるので、雄金具と不還弁との当接による不還弁の損傷を確実に防止できるからである。また、雄金具の形状自体が単純なものとなるので、送気ホースの生産性の向上に寄与できるからである。
【００１４】
本発明の送気弁は、充気式の流出物拡散防止フェンスに好適に使用される。充気式フェンスにおけるフェンス本体は、気体を封入可能な袋体をからなるものであって、川面や海面に浮かべることが可能となされ、かつ、巻き取りや折り畳みが可能なように可撓性を有するものである。すなわち、フェンス本体としては、対候性、耐油性に富んだポリエステル補強塩ビ引布でフロート用気室を構成するとともに、ポリエステル製のテンションベルトで補強し、気室内にブロワーで給気することにより浮力を確保するもの、また、ポリエステル補強の板状ゴムの内部に非接着層を設けて気室とし、同様に気室内に給気して浮力を確保する構成のフェンス本体に使用するものである。
【００１５】
そして、フェンス本体の両端部に送気弁を取り付けることにより、給気の際のフェンス本体の方向性を問うことなく、迅速に給気できることとなる。なお、給気されたフェンスは、連結された複数本のフェンスの全てに給気した後、船で海上に引き出すことも、一本づつ給気しつつ、順次海上に引き出すこともでき、その場で展張されるか、あるいは、展張海域まで曳航される。また、給気終了後等で送気ホースが接続されていない状態の送気弁には、蓋がされる。
【００１６】
【実施例】
以下、本発明の好ましい実施の形態を図面により説明する。図１は、本発明の送気弁１を示す断面図である。図１において、可撓性のフェンス本体２に取り付けられる送気弁１は、鍔付き取付枠３、パッキン４、雌金具５、不還弁６、押圧部材７とから構成されている。すなわち、フェンス本体２には鍔付き取付枠３が固定され、鍔付き取付枠３に雌金具５がネジ止めされる。ここで、鍔付き取付枠３と雌金具５との間にはパッキン４が挿入されており、ネジ部からの空気漏れを防止している。したがって、送気弁１の主要部をなす不還弁６に何らかの故障が生じた場合には、雌金具５ごと取り外して修理または交換が簡単にできるようになっている。
【００１７】
不還弁６は、図２に示すように、直径４５ｍｍ、厚さ１ｍｍの円形のＣＲゴムからなり、直径部分に幅３ｍｍ、深さ０．５ｍｍの凹溝６Ａが設けられている。そして、円の中心部にある突起６Ｂが雌金具５に嵌め込まれて固定されるようになっている。
【００１８】
また、図１に示すように、雌金具５には球状の押圧部材７が等間隔で４個取り付けられている。押圧部材７は、図示しないバネの付勢によって雌金具の内面から突出しており、送気ホース８の雄金具９に設けられた外周溝１０に嵌まり込んで送気ホース８を接続する役目をするものである。
【００１９】
図３は、本発明の送気弁１に送気ホース８を接続し、給気中の状態を示す断面図である。すなわち、送気圧によって不還弁６が凹溝６Ａを中心に折れ曲がり、雌金具５と離間して給気口が形成されている。また、送気ホース８の雄金具９の先端は不還弁６と接触することのない寸法とされており、給気が終了して送気圧がなくなれば、不還弁６はもとの平板状に戻って雌金具５の内面と接触し、気密性が保持される。
【００２０】
図４は、本発明の送気弁をフェンス本体の両端部に取り付けた状態を示す斜視図である。両端部に取り付けることにより、連結された隣り合うフェンス２Ａ，２Ｂの間の１箇所で、両方に給気することが可能となる。すなわち、送気弁１Ａに送気ホースを接続して給気した後、送気弁１Ｂに送気ホース８を付け替えるだけでよいのである。なお、図４において、フェンス本体２Ａ，２Ｂはポリエステル補強塩ビ引布からフロート用気室２Ｃを構成したものであり、気室２Ｃの下部にはスカート２Ｄが一体的に形成されている。また、スカートの下端は袋状とされており、袋内に重り２Ｅが挿入されている。
【００２１】
このような流出物拡散防止フェンスは、主に油の流出時に展張されるものである。すなわち、通常は岸壁上に折り畳まれたり巻き取られたりして保管されており、必要時に、岸壁上でフェンス本体２Ａ，２Ｂの一組に給気して浮力を確保した後当該フェンス本体２Ａ，２Ｂを海上に引き出し、続いて次のフェンス本体の一組を岸壁上で同様に給気し、引き出すことを繰り返して全体を展張するのである。
【００２２】
なお、フェンス本体２Ａ，２Ｂの全長をそれぞれ２０ｍ程度としておけば、給気や展張の作業性に優れたものとなる。また、展張終了後はフェンス本体２Ａ，２Ｂ内の空気を排気する必要があるが、図４に示すフェンス本体２Ａ，２Ｂは排気ファスナー２Ｆを有しており、排気ファスナー２Ｆを開けることで、簡単かつ迅速に排気することができるようになっている。
【００２３】
【発明の効果】
本発明は、送気弁における不還弁を円形の弾性体とし、直径部分の肉厚のみを薄く構成することによって、送気圧で曲げ変形させて給気口を確保するようにしたので、構造が簡易で、耐久性、信頼性に優れた送気弁およびそれを用いた流出物拡散防止フェンスを得ることができるものである。特に、送気ホースの接続後であっても、送気ホースの雄金具の先端が不還弁に接触することのないようにすれば、雄金具と不還弁との当接による不還弁の損傷を確実に防止でき、送気弁の点検、保守作業が大幅に軽減される。
【００２４】
また、本発明の送気弁をフェンス本体の両端部に取り付けた流出物拡散防止フェンスとすることにより、給気の際のフェンス本体の方向性を問うことなく、迅速に給気することが可能となる。
【図面の簡単な説明】
【図１】図１は、本発明の送気弁を示す断面図である。
【図２】図２は、本発明の送気弁に使用される不還弁の詳細を示す側面図および平面図である。
【図３】図３は、本発明の送気弁に送気ホースを接続し、給気中の状態を示す断面図である。
【図４】図４は、本発明の送気弁をフェンスに取り付けた状態を示す斜視図である。
【図５】図５は、従来の送気弁を示す断面図である。
【符号の説明】
１，１Ａ，１Ｂ‥送気弁
２，２Ａ，２Ｂ‥フェンス本体
２Ｃ‥気室
２Ｄ‥スカート
２Ｅ‥重り
２Ｆ‥排気ファスナー
３‥鍔付き取付枠
４‥パッキン
５‥雌金具
６‥不還弁
６Ａ‥凹溝
６Ｂ‥突起
７‥押圧部材
８‥送気ホース
９‥雄金具
１０‥外周溝
１１‥雌金具
１２‥不還弁
１３‥コイルバネ
１４‥雄金具
１５‥凸部
１６‥給気口
【図１】
0004381507.tif 000002
【図２】
0004381507.tif 000003
【図３】
0004381507.tif 000004
【図４】
0004381507.tif 000005
【図５】
0004381507.tif 000006